(57)【要約】【課題】選択時間を短縮してもコントラストが低下することを回避可能な表示制御装置を提供する。【解決手段】光を透過する透過状態、及び光を反射する反射状態を記憶可能な液晶素子で構成される表示媒体に対し、前記液晶素子の前記透過状態及び反射状態を定めるためのデータ電圧を前記液晶素子に印加するデータ電圧印加手段と、前記液晶素子を初期化するための初期化電圧、前記データ電圧印加手段により印加されたデータ電圧を選択するための選択電圧、及び前記選択電圧により変化した前記液晶素子の状態を進展維持させるための維持電圧を全ての液晶素子に対して印加した後に、前記反射状態にある前記液晶素子の反射率を維持すると共に前記透過状態及び前記反射状態と前記透過状態との中間の反射状態にある液晶素子の反射率を低下させる全面一括電圧を全ての液晶素子に印加する走査電圧印加手段と、を有する。【選択図】図５
2008257035.tif 000002
【特許請求の範囲】
【請求項１】
光を透過する透過状態、及び光を反射する反射状態を記憶可能な液晶素子で構成される表示媒体に対し、前記液晶素子の前記透過状態及び反射状態を定めるためのデータ電圧を前記液晶素子に印加するデータ電圧印加手段と、
前記液晶素子を初期化するための初期化電圧、前記データ電圧印加手段により印加されたデータ電圧を選択するための選択電圧、及び前記選択電圧により変化した前記液晶素子の状態を進展維持させるための維持電圧を全ての液晶素子に対して印加した後に、前記反射状態にある前記液晶素子の反射率を維持すると共に前記透過状態及び前記反射状態と前記透過状態との中間の反射状態にある液晶素子の反射率を低下させる全面一括電圧を全ての液晶素子に印加する走査電圧印加手段と、
を有する表示制御装置。
【請求項２】
前記走査電圧印加手段は、前記初期化電圧、及び前記維持電圧を直流電圧で印加する請求項１に記載の表示制御装置。
【請求項３】
前記データ電圧、及び前記選択電圧は、交番電圧として印加され、
前記データ電圧印加手段が、前記データ電圧と前記選択電圧との位相差を生じさせることで、前記位相差によって、前記液晶素子の状態を、前記透過状態、又は前記反射状態とは異なる中間の反射状態に制御する請求項１又は請求項２に記載の表示制御装置。
【請求項４】
前記走査電圧印加手段は、全ての液晶素子を１つ以上の液晶素子で構成される複数のグループに分割することにより得られた各グループ毎に、予め定められた順番で前記全面一括電圧を印加することにより、全ての液晶素子に前記全面一括電圧を印加する請求項１から請求項３のいずれか１項に記載の表示制御装置。
【請求項５】
前記全面一括電圧の大きさは、前記データ電圧の大きさより大きく、前記維持電圧の大きさより小さい請求項１から請求項４のいずれか１項に記載の表示制御装置。
【請求項６】
前記液晶素子は、コレステリック液晶素子である請求項１から請求項５のいずれか１項に記載の表示制御装置。
【発明の詳細な説明】
【技術分野】
【０００１】
本発明は、表示制御装置に関する。
【背景技術】
【０００２】
日本通信技術株式会社により見いだされた（技術報告-混合コレステリック相液晶の電気工学効果（日本通信技術株式会社）  1980年）コレステリック液晶の高速駆動方法や、特許文献１及び特許文献２に開示されたコレステリック液晶の高速駆動方法では、選択電圧を印加する時間である選択時間を１ｍｓまで短くできることが示されている。
【０００３】
また、特許文献３には、全面一括非選択パルスによるコントラストムラを解消する技術として全面一括プレーナーリセットに依る駆動方法が開示されている。この特許文献３の段落００２５には、全面一括非選択維持期間を設けたので、表示ムラがなくなることが記載されているところ、第一の非選択維持期間がライン毎に異なっているため、全面一括非選択維持期間がない場合には表示特性がばらついている。
【特許文献１】米国特許第５７４８２７７号明細書
【特許文献２】特表２０００−５１４９３２号公報
【特許文献３】特開２００５−２５７９９９号公報
【発明の開示】
【発明が解決しようとする課題】
【０００４】
このような技術背景において、上述した選択時間を短縮すると前記透過状態において光の透過率が低下し、黒表示時（フォーカルコニック状態）の反射率が小さくならなくなり表示画質が劣化する。また、データ電圧の最高電圧と最低電圧の差ΔＶ（図３Ｂに示す）を大きくすると、セルをプレーナー状態に選択したときの反射率と、セルをフォーカルコニック状態に選択したときの反射率の比、コントラスト比を高くできるが、ΔＶ／２は液晶が応答する閾値電圧よりも小さくなるようにデータ電圧を設計しなければならない。維持電圧の印加が終了したセルには後続する走査電極上のセルを選択するためのデータ電圧（このような、セルにかかる所望以外の電圧をクロストーク電圧と呼ぶ）が印可され続ける。クロストーク電圧の実効値は最小でΔＶ／２でありΔＶ／２が液晶が応答する閾値電圧よりも大きい場合にはクロストーク電圧によりセルがフォーカルコニック状態に変化してしまうからである。
【０００５】
このように従来の技術では、選択時間を短縮するとコントラストが低下するという問題点があった。
【０００６】
本発明は上記問題点に鑑み、選択時間を短縮してもコントラストが低下することを回避可能な表示制御装置を提供することを目的とする。
【課題を解決するための手段】
【０００７】
上記課題を解決するために、請求項１の発明は、光を透過する透過状態、及び光を反射する反射状態を記憶可能な液晶素子で構成される表示媒体に対し、前記液晶素子の前記透過状態及び反射状態を定めるためのデータ電圧を前記液晶素子に印加するデータ電圧印加手段と、前記液晶素子を初期化するための初期化電圧、前記データ電圧印加手段により印加されたデータ電圧を選択するための選択電圧、及び前記選択電圧により変化した前記液晶素子の状態を進展維持させるための維持電圧を全ての液晶素子に対して印加した後に、前記反射状態にある前記液晶素子の反射率を維持すると共に前記透過状態及び前記反射状態と前記透過状態との中間の反射状態にある液晶素子の反射率を低下させる全面一括電圧を全ての液晶素子に印加する走査電圧印加手段と、を有する。
【０００８】
また、本発明は請求項２のように、前記走査電圧印加手段は、前記初期化電圧、及び前記維持電圧を直流電圧で印加するようにしても良い。
【０００９】
また、本発明は請求項３のように、前記データ電圧、及び前記選択電圧は、交番電圧として印加され、前記データ電圧印加手段が、前記データ電圧と前記選択電圧との位相差を生じさせることで、前記位相差によって、前記液晶素子の状態を、前記透過状態、又は前記反射状態とは異なる中間の反射状態に制御するようにしても良い。
【００１０】
また、本発明は請求項４のように、前記走査電圧印加手段は、全ての液晶素子を１つ以上の液晶素子で構成される複数のグループに分割することにより得られた各グループ毎に、予め定められた順番で前記全面一括電圧を印加することにより、全ての液晶素子に前記全面一括電圧を印加するようにしても良い。
【００１１】
また、本発明は請求項５のように、前記全面一括電圧の大きさは、前記データ電圧の大きさより大きく、前記維持電圧の大きさより小さくなるようにしても良い。
【００１２】
また、本発明は請求項６のように、前記液晶素子は、コレステリック液晶素子であるようにしても良い。
【発明の効果】
【００１３】
本発明によれば、選択時間を短縮してもコントラストが低下することを回避可能な表示制御装置を提供することができるという効果が得られる。
【発明を実施するための最良の形態】
【００１４】
以下、図面を参照して、本発明の実施の形態について詳細に説明する。
【００１５】
図１には、本実施の形態に係る表示制御装置１４が示されている。また、表示媒体１５が示されている。
【００１６】
表示制御装置１４は、制御部２４、記録部２８、メモリ３０、及び接続部３２に設けられた着脱機構３４、電極接続部３５を含んで構成されている。また、表示媒体１５は、接続部３２に対して着脱可能となっている。
【００１７】
記録部２８は、制御部２４からの指示により、画像データに基づいて、接続部３２に接続された表示媒体１５に対して画像を記録する。メモリ３０は、制御ルーチンや画像データ等が記憶される。着脱機構３４は、制御部２４からの指示により、接続部３２に接続された表示媒体１５の解除（取り外し）を禁止したり、禁止を解除したりする。すなわち、表示媒体１５をロック状態にしたり、ロック状態を解除したりする。電極接続部３５は、後述する配線で構成される。
【００１８】
次に、図２を用いて記録部２８及び表示媒体１５の構成について説明する。
【００１９】
表示媒体１５は、光を透過するフォーカルコニック状態、及び特定の波長の光を選択的に反射するプレーナー状態を含む光に対する反射状態を記憶可能な液晶素子であるコレステリック液晶素子（以下の説明ではセルと表現することがある）で構成され、パッシブマトリックス駆動方式により駆動されるものである。
【００２０】
なお、本実施の形態では、説明の簡略化のために４×４のマトリックス構成としているが、実際には、画像表示に必要な縦横画素数に対応した本数の電極が各基板に形成されることはいうまでもない。
【００２１】
上述した図１に示したように、表示媒体１５は、接続部３２に設けられた記録部２８と接続される。具体的には、データ電極４０及び走査電極４２は、それぞれ配線５３、５４を介してデータ電極駆動回路（データ電圧印加手段）５５、走査電極駆動回路（走査電圧印加手段）５６に接続されている。このデータ電極４０と走査電極との各交差部分にコレステリック液晶素子が設けられ、それらコレステリック液晶素子に対して電圧が印加される。
【００２２】
配線５３、５４は、接続部３２に配線され、表示媒体１５を接続部３２に接続することにより、配線５３がデータ電極４０と接続し、配線５４が走査電極４２と接続するようになっている。この接続部３２に配線された配線５３、５４は図１に示す電極接続部３５として機能する。
【００２３】
データ電極駆動回路５５及び走査電極駆動回路５６はシーケンサ５８と外部電源６０に接続されている。シーケンサ５８は制御部２４に接続され、制御部２４から入力された画像情報（画像データ）に応じて、データ電極駆動回路５５、走査電極駆動回路５６に画像情報信号を出力する。
【００２４】
パッシブマトリックス駆動では、シーケンサ５８から後述する走査電圧を印加するための信号が走査電極駆動回路５６に送られ、走査電極駆動回路５６から走査電圧が印加される。これと同期して、画像を表現するためのデータ電圧を印加するためのデータ信号がシーケンサ５８からデータ電極駆動回路５５へ送られ、データ電極駆動回路５５からデータ電極４０にデータ電圧が印加される。
【００２５】
そして、走査電圧及びデータ電圧の印加が停止された後も表示媒体１５に表示された画像は保持される。
【００２６】
図１２を用いて表示媒体１５について説明する。図１２は表示媒体１５の断面図の一部である。透明電極５を備えた透明な基板３及び透明電極６を備えた透明な基板４が対向して配置されており、基板間にはコレステリック液晶７が封入されている。リブ８はコレステリック液晶７が偏在することを防止することと、基板３と基板４の距離を規定するために備えられている。光吸収層９は液晶層を透過してきた光を吸収する。表示媒体１５が単層で存在する場合、基板４は透明でなく、黒色でも良い。その場合には光吸収層９は不要である。
【００２７】
多色表示の表示媒体とするには、図１２に示す表示媒体１５のうち光吸収層９を備えないものを積層するとよい。最も下の表示媒体の下側の基板（観察者から最も遠い位置にある基板）には光吸収層を備えるか、または基板を黒色とする。例えば、それぞれの中心選択波長が470nm（青色を呈する）、520nm（緑色を呈する）、600nm（赤色を呈する）の液晶を封入した表示媒体を積層する。積層する各表示媒体の間にカラーフィルターを挿入すると多色表示の表示媒体の色純度を高めることができる。図１３に２つの表示媒体を積層した例を示す。
【００２８】
次に、上述した走査電圧、データ電圧について、図３を用いて説明する。図３（Ａ）は、走査電極駆動回路５６により印加される走査電圧の波形を示し、図３（Ｂ）は、データ電極駆動回路５５により印加されるデータ電圧の波形を示している。このうち、走査電圧は、コレステリック液晶素子をホメオトロピック状態に変化させ初期化するための初期化電圧、データ電圧を選択するための選択電圧、及び選択電圧により変化したコレステリック液晶素子の状態を進展維持させるための維持電圧の３つの電圧を含む電圧である。なお、実際の駆動時には、選択電圧の印加期間だけでは十分に状態が変化せず、維持電圧印加期間に渡って液晶が変化する場合が考えられる。この場合においても、維持電圧を印加している間に状態の変化が完了して、その後所望する液晶の状態を維持する。本願でいう「液晶状態を維持する維持電圧」は、上記態様も含むものとする。
【００２９】
この走査電圧は、行毎に順に印加される。具体的には、同図に示されるように、第ｎ−１行（走査電極）に初期化電圧が印加された１ｍｓ（選択電圧の印可時間に等しい）後、第ｎ行に印加され、その１ｍｓ後に第ｎ＋１行に印加される。
【００３０】
また、各走査電極には、初期化電圧印加後に、選択電圧が印加され、その後維持電圧が印加される。このうち、初期化電圧及び維持電圧は、本実施の形態において直流電圧となっている。また、維持電圧はコレステリック液晶のヒステリシス双安定性を利用できる大きさの電圧で、選択電圧で選択されたコレステリック液晶素子の状態を、選択反射状態（プレーナー状態）、又は透過状態（フォーカルコニック状態）、又は後述する中間状態に確定させるための電圧である。そして維持電圧が印加された後は、走査電極に対して電圧が印加されることはない。
【００３１】
なお、選択電圧は、同図（Ａ）に示されるように、パルス状の交番電圧となっており、この選択電圧が印加される時間は例として１ｍｓとしている。同図（Ａ）に示す選択電圧は正の電位（図中の基準線の上側）が先に印可され続いて負の電位（図中の基準線の下側）が印加されている。負の電位が先で、続いて正の電位が印加されるようにしても良い。同図（Ａ）に示す選択電圧は選択電圧印可時間中に１周期のパルス状の交番電圧であるが、２周期またはｎ周期（ｎは正数）のパルス状の交番電圧であっても良い。
【００３２】
また、データ電圧は、走査電圧に同期して、画像データに応じて列毎に印加される。具体的に例えば、ｎ行ｍ列に位置するコレステリック液晶素子の反射状態を定めるためには、走査電圧により、第ｎ行の走査電極に選択電圧が印加されるのと同期して、ｎ行ｍ列に位置するコレステリック液晶素子の反射状態を定めるためのデータ電圧をｍ列のデータ電極に印加するように制御する。
【００３３】
この制御により、データ電圧は選択電圧が最後の走査電極に対して印加されるまで各列に対して印加され続けることとなる。
【００３４】
コレステリック液晶素子の各セルに印加される電圧は、液晶素子を挟んで交差する走査電極とデータ電極にそれぞれ印可される電圧の差分の電圧である。走査電極への電圧印加が終了（維持電圧の印加が終了）したセルには後続する走査電極上のセルの反射状態を決定するためのデータ電圧が印加され続ける（クロストークと呼ぶ）ため、セルに印加される電圧の実効値は、図４に示されるように、初期化電圧、選択電圧、及び維持電圧の実効値の他に、クロストークの実効値も含まれる。なお図４においては、隣接する行上のセルにかかる初期化電圧と選択電圧と維持電圧及びクロストークの実効値がタイミングと共に示されているが、選択電圧の実効値は、セル毎に（各セルに印加されたデータ電圧により）異なる。クロストークの実効値の大きさは、液晶セルが応答する閾値電圧より小さくなくてはならない。クロストークが前記閾値電圧よりも大きいと、選択電圧及び維持電圧により決定されたセルの反射状態がクロストークにより変化してしまい、最終表示画像の劣化を招く。
【００３５】
クロストーク電圧は初期化電圧の前（図では初期化電圧の左側）にも存在するが、図４では省略した。なお、この実効値は、Vrms（root mean square：二乗平均）で表されている。
【００３６】
ここで例えば、液晶材料は中心選択波長が４７０ｎｍのコレステリック液晶、走査電圧は初期化電圧９０Ｖ、５０ｍｓ、選択電圧±８Ｖ、１ｋＨｚ、１ｍｓ、維持電圧５０Ｖ、３０ｍｓ、データ電圧は±８Ｖ、１ｋＨｚである。なお、選択電圧とデータ電圧は周波数は等しい（１周期の時間が等しい）が、振幅は等しくなくても良い。
【００３７】
次に、図５を用いて全面一括電圧について説明する。図５は、行の数が６４０本の場合の走査電圧の波形を示す図である。上述したように、まず第１行に初期化電圧が印加され、その後、第２行にも初期化電圧が印加される。第１行に初期化電圧が印加されてから、第２行に初期化電圧が印加されるまでの時間は、選択電圧が印加される時間と同じ時間となる。
【００３８】
第１行への初期化電圧の印加が終了すると、次に選択電圧が印加され、その後維持電圧が印加される。第２行以下、同様に走査電圧が印加される。そして各セルには、第６４０行への選択電圧の印加終了後まで上述したクロストーク電圧が印加され続ける。
【００３９】
このようにして、全てのコレステリック液晶素子に対して走査電圧を印加した後に、同図に示されるように全面一括電圧が全ての走査電極に印加され、全てのコレステリック液晶素子に印加される。この全面一括電圧は、選択反射状態にあるコレステリック液晶素子の反射率を維持すると共に透過状態及び前記選択反射状態と前記透過状態との中間の反射状態にあるコレステリック液晶素子の反射率を低下させる電圧である。
【００４０】
更に、全面一括電圧の大きさは、データ電圧の大きさより大きく、維持電圧の大きさより小さい。データ電圧の大きさより全面一括電圧の大きさが大きい理由は、データ電圧の大きさ以下の電圧では選択反射状態の反射率、及び透過状態の反射率が変化しないためである。
【００４１】
また、維持電圧の大きさより全面一括電圧の大きさが小さいことは、前記選択反射状態にあるコレステリック液晶素子の反射率を維持するためである。
【００４２】
このように全面一括電圧を印加した場合のコントラストについて、図６を用いて説明する。図６は、全面一括電圧印加時間とコレステリック液晶素子の容量との関係を示す図である。同図に示されるグラフは、横軸が全面一括電圧印加時間（ｍｓ）を示し、縦軸がコレステリック液晶素子の容量（ｎＦ）を示している。容量が大きいほど、コレステリック液晶素子がフォーカルコニック状態（黒の表示状態）に近いことを示し、容量が小さいほどコレステリック液晶素子がプレーナー状態（選択反射の表示状態）に近いことを示している。ここで、全面一括電圧は２０Ｖの直流電圧である。
【００４３】
同図には、全面一括電圧印加時間が０ｍｓの状態でプレーナー状態を示している約１．１ｎＦの容量が、全面一括電圧が１００ｍｓまで印加されてもほとんど変わらないことが示されている。一方、全面一括電圧印加時間が０ｍｓの状態で略フォーカルコニック状態を示している約１．５ｎＦの容量が、全面一括電圧が１００ｍｓまで印加されると、１．６ｎＦまで上昇する（より理想的なフォーカルコニック状態に近づく：更に黒っぽくなる）ことが示されている。
【００４４】
また、全面一括電圧印加時間が０ｍｓの状態でプレーナー状態とフォーカルコニック状態の中間状態であることを示している約１．３ｎＦの容量が、全面一括電圧が１００ｍｓまで印加されると、１．４ｎＦより大きい容量に上昇することが示されている。
【００４５】
このように、初期化電圧、選択電圧、及び維持電圧が印加された後に全面一括電圧を印加することにより、コントラストを高めることができる。従って、選択時間を短縮しても、全面一括電圧によりコントラストを高めることができるのでコントラストが低下することを回避することができる。
【００４６】
選択時間を短縮可能であることは、行が多い場合に特に有効である。例えば２５００ラインで書き換えが実行される表示媒体を想定した場合、選択時間を０．２ｍｓ短縮すれば、走査電圧が最後の行に印加されるまでの時間を５００ｍｓ短縮することができる。従って、従来よりも５００ｍｓ早く表示媒体に表示される画像の全体像を視認することが出来る。これにより表示媒体を見る者は、従来より全体像を認識できるまでの時間が短縮されるので、表示媒体を見る者のストレスは減少することとなる。
【００４７】
この選択時間の短縮で減少した５００ｍｓのうち、数１００ｍｓを使用して全面一括電圧を印加することでコントラストを高めることができるので、コントラストを低下させずに画像が表示されるまでの時間を短縮することが可能となる。
【００４８】
更に、クロストーク電圧の制約からデータ電圧の最高電圧と最低電圧の差ΔＶを十分に取れない場合でも、全面一括電圧によりコントラストを高くすることができるため、従来の駆動方法に比べて画質を改善することが可能になる。
【００４９】
なお、上述した全面一括電圧による瞬間消費電力は行に比例して増大するため、行数が多い場合、一度に全てのコレステリック液晶素子に印加すると瞬間消費電力が大きくなる。従って、全てのコレステリック液晶素子を１つ以上のコレステリック液晶素子で構成される複数のグループに分割することにより得られた各グループ毎に、予め定められた順番で全面一括電圧を印加することにより、全てのコレステリック液晶素子に全面一括電圧を印加するようにしても良い。
【００５０】
このことを具体的に図７を用いて説明する。図７は、コレステリック液晶素子のグループ分割例を示す図である。同図には走査電圧及びデータ電圧が印加される電極が示されている。この走査電圧が印加される電極を、複数のグループに分割することで、コレステリック液晶素子をグループ化する。そして、グループ毎に予め定められた順番でそのグループに属する全てのコレステリック液晶素子に全面一括電圧を印加する。
【００５１】
例えば、まずグループ１に属する全てのコレステリック液晶素子に全面一括電圧を印加し、その後グループ２に属する全てのコレステリック液晶素子に全面一括電圧を印加する。以下グループｎまで昇順にそのグループに属する全てのコレステリック液晶素子に全面一括電圧を印加する。
【００５２】
このように、各グループ毎に予め定められた順番で全面一括電圧を印加することにより、突入電流を小さくでき瞬間消費電力を抑制することができる。
【００５３】
以上説明した本実施の形態においては、初期化電圧及び維持電圧を直流電圧としているが、従来では、直流電圧のような印加される電圧の平均値が０でない場合、イオンの偏在により表示媒体が劣化するという懸念があった。
【００５４】
そこで、セルの大きさが１０ｍｍ×１０ｍｍ×１０ｕｍで、容量が1−２ｎＦの液晶層に１分の直流電圧を掛けた後、交番電圧で初期化電圧を印加する事を繰り返した。具体的には、９０Ｖでホメオトロピック状態になる液晶に対して、９０Ｖ及び５０Ｖの直流電圧を１分間印加し、５秒後に±９０Ｖ５０Ｈｚの信号を２００ｍｓ印加し、セルの容量を測定した結果、容量は容量１．１ｎＦで安定していた。
【００５５】
交番電圧による初期化電圧を印加しない場合でも、９０Ｖの直流電圧を印加した１分後は１ｎＦ、５０Ｖの直流電圧を印加した１分後は１．８ｎＦで容量は安定していた。
【００５６】
また、選択時間を１ｍｓとした場合、２５００ラインでは駆動時間が２．５ｓであり、そのうちセルに直流電圧が印加される時間が高々１００ｍｓである。更に、電子ペーパーとして利用する場合は、連続でセルを書き換えることはほとんどないので、書き換え間隔が少なくとも数秒は有ることと、上記実験の結果から、直流電圧の印加が原因による素子劣化は起こらないと考えられる。
【００５７】
このような背景により本実施の形態に係る表示制御装置１４は、初期化電圧及び維持電圧を直流電圧としているが、これにより、コレステリック液晶素子を駆動するための消費電力を低減することができる。具体的には、図８に示されるように、交番電圧では電圧の変動による電流が生じるため電力が消費される。その場合、極性反転回数(電圧変動）に比例して消費電力は増加する。
【００５８】
同図に示されるように、直流電圧における電圧変動は交番電圧のそれと比較して少ないため、消費電力を低減することが可能となる。
【００５９】
更に、直流電圧を用いることで、走査電極駆動回路５６の耐圧幅を小さくすることも可能となる。具体的には、交番電圧を使用する場合、必要な実効値に対し２倍の耐圧幅が必要であるが、図９に示されるように直流電圧を用いた場合、交番電圧の耐圧幅と比較して直流電圧の耐圧幅を小さくすることが可能となる。
【００６０】
このように本実施の形態では、初期化電圧及び維持電圧を直流電圧としているが、初期化電圧及び維持電圧の両方又はいずれか一方を交番電圧としても、全面一括電圧により選択時間を短縮してもコントラストが低下することを回避可能である。
【００６１】
次に、図１０を用いて各セルの選択電圧印加期間において、データ電極駆動回路５５がデータ電圧と選択電圧との位相差を生じさせることで、コレステリック液晶素子の反射状態を、上述した透過状態、又は選択反射状態とは異なる中間の反射状態に変化させる場合の位相について説明する。
【００６２】
図１０には、コレステリック液晶素子のセルに印加される電圧を示すセル電圧が、最も小さい電圧が印加されることを示すＯＦＦと、最も高い電圧が印加される場合のＯＮと、それらとは異なる中間調とするために印加される場合の、選択電圧とデータ電圧の位相差が示されている。
【００６３】
同図に示されるＯＦＦの場合、コレステリック液晶素子は、光を透過するフォーカルコニック状態であり、ＯＮの場合は特定の波長を選択的に反射するプレーナー状態である。中間調は、フォーカルコニック状態とプレーナー状態の中間となる光に対する反射状態を示している。
【００６４】
選択電圧印加期間中のセル電圧は、選択電圧とデータ電圧の差分であるため、セル電圧をＯＦＦにする場合には、選択電圧とデータ電圧を同相とするようにデータ電圧を印加する。また、セル電圧をＯＦＦにする場合には、選択電圧とデータ電圧を逆相とするようにデータ電圧を印加する。そして、中間調にする場合には、その中間調の度合いに応じて、位相をずらすことで実現することができる。
【００６５】
このように中間調を実現可能とすることにより、グレースケールに対応することが可能となる。なお、上述したセル電圧の実効値の大きさとＯＮ／ＯＦＦの関係は、維持電圧の条件により図１０で説明した場合と逆となることがある。
【図面の簡単な説明】
【００６６】
【図１】本実施の形態に係る表示制御装置を示す図である。
【図２】記録部及び表示媒体の構成を示す図である。
【図３】走査電圧及びデータ電圧の波形を示す図である。
【図４】行に印加される電圧の実効値を示す図である。
【図５】走査電圧、全面一括電圧、及びデータ電圧の波形を示す図である。
【図６】全面一括電圧印加時間とコレステリック液晶素子の容量との関係を示す図である。
【図７】コレステリック液晶素子のグループ分割例を示す図である。
【図８】直流電圧と交番電圧の消費電力の差を示す模式図である。
【図９】直流電圧と交番電圧の耐圧幅の差を示す模式図である。
【図１０】セルに印加される電圧と走査電圧及びデータ電圧との関係を示す図である。
【図１１】コレステリック液晶の配向状態と光の透過／反射を模式的に表す図である。
【図１２】表示媒体の断面図である。
【図１３】２つの表示媒体を積層した例を示す図である。
【符号の説明】
【００６７】
１４  表示制御装置
１５  表示媒体
２４  制御部
２８  記録部
５５  データ電極駆動回路
５６  走査電極駆動回路
【図１】
2008257035.tif 000003
【図２】
2008257035.tif 000004
【図３】
2008257035.tif 000005
【図４】
2008257035.tif 000006
【図５】
2008257035.tif 000007
【図６】
2008257035.tif 000008
【図７】
2008257035.tif 000009
【図８】
2008257035.tif 000010
【図９】
2008257035.tif 000011
【図１０】
2008257035.tif 000012
【図１１】
2008257035.tif 000013
【図１２】
2008257035.tif 000014
【図１３】
2008257035.tif 000015